(57)【要約】【課題】適切に短絡接地することができる短絡接地器を実現する。【解決手段】この短絡接地器１００における高圧側器具１０と接地側器具２０は、第１連結体５１と第２連結体５２とで構成される連結器具５０を介して連結されているが、接地側器具２０を接地板Ｇ（接地線）に取り付ける操作がなされ、連結器具５０の姿勢が切り替えられた状態になれば、第２連結体５２から第１連結体５１を取り外すようにして、接地側器具２０から高圧側器具１０を外すことができる。つまり、この短絡接地器１００であれば、接地側器具２０を接地板Ｇに取り付けた後、高圧側器具１０を電力線に取り付けるという手順を順守するように、適切に短絡接地することができる。【選択図】図１
2020057506.tif 000002
【特許請求の範囲】
【請求項１】
受電設備を構成する電力線と接地線との間に接続される短絡接地器であって、
前記電力線に取り付ける高圧側器具と、
前記接地線に取り付ける接地側器具と、
前記高圧側器具と前記接地側器具とを接続しているケーブルと、
前記高圧側器具と前記接地側器具とを連結している連結器具と、を備え、
前記連結器具は、前記高圧側器具側に配設されている第１連結体と、前記接地側器具側に配設されている第２連結体と、を有しており、
前記接地側器具を前記接地線に取り付ける操作がなされ、前記連結器具の姿勢が切り替えられた状態で、前記第２連結体から前記第１連結体が取り外し可能になるように構成されていることを特徴とする短絡接地器。
【請求項２】
前記第２連結体には、一端側に前記接地側器具の挟持部材に当接している押圧部を有し、他端側に前記第１連結体を係止している係止部を有するリンク機構が設けられており、
前記連結器具の姿勢が切り替えられた状態で、前記リンク機構の一端側の前記押圧部が前記挟持部材に向けて押圧されて、その挟持部材が前記接地線に向けて押し付けられた状態に切り替わり、前記リンク機構の他端側の前記係止部による前記第１連結体の係止が解除された状態に切り替わるように構成されていることを特徴とする請求項１に記載の短絡接地器。
【請求項３】
前記連結器具の姿勢が切り替えられた状態で、前記挟持部材に向けて押圧されている前記押圧部がその状態を維持するようにロックするロック部が設けられていることを特徴とする請求項２に記載の短絡接地器。
【請求項４】
前記第１連結体には、その第１連結体が前記第２連結体に取り付けられた配置において、前記ロック部による前記押圧部のロック状態を解除するための解除操作部が設けられていることを特徴とする請求項３に記載の短絡接地器。
【請求項５】
前記接地側器具が取り付けられる前記接地線部分は、平板形状を呈するように形成されてなる接地板であることを特徴とする請求項１〜４のいずれか一項に記載の短絡接地器。
【発明の詳細な説明】
【技術分野】
【０００１】
本発明は、高圧受電設備などを法定点検するための停電作業を実施する場合に、作業者の安全を確保するために要所に取り付ける短絡接地器に関する。
【背景技術】
【０００２】
送電線や高圧受電設備などで点検や電気工事を行う際、その箇所を停電状態にして作業が行われるが、停電作業時でもその電路に誘導電流が誘起されることがあるので、感電事故を防止するために短絡接地器を用いて作業を行うようになっている。
その短絡接地器を取り付ける際にも感電を防止するために、まず接地側器具を接地線に取り付け、そのあと高圧側器具を電力線に取り付けるという手順をとる必要がある。
【０００３】
そして、このような取り付け手順を誤らないように使用できるようにした短絡接地器が知られている（例えば、特許文献１参照。）。
この短絡接地器には、接地側器具を接地線に取り付けたことで、接地側器具から引き抜くことができるキー部材が設けられており、そのキー部材を高圧側器具に固定しなければ、高圧側器具を電力線に取り付けることができないようになっているので、高圧側器具を電力線に取り付けるためには、まず接地側器具を接地線に取り付けてキー部材を得るようにする手順に誘導されるようになっている。
【先行技術文献】
【特許文献】
【０００４】
【特許文献１】特開２０１８−５７２４７号公報
【発明の概要】
【発明が解決しようとする課題】
【０００５】
しかしながら、上記特許文献１の短絡接地器の場合、接地側器具や高圧側器具から引き抜いて外したキー部材を紛失してしまうと、その短絡接地器が使用不能になってしまうという問題があった。
【０００６】
本発明の目的は、適切に短絡接地することができる短絡接地器を提供することである。
【課題を解決するための手段】
【０００７】
上記目的を達成するため、この発明は、
受電設備を構成する電力線と接地線との間に接続される短絡接地器であって、
前記電力線に取り付ける高圧側器具と、
前記接地線に取り付ける接地側器具と、
前記高圧側器具と前記接地側器具とを接続しているケーブルと、
前記高圧側器具と前記接地側器具とを連結している連結器具と、を備え、
前記連結器具は、前記高圧側器具側に配設されている第１連結体と、前記接地側器具側に配設されている第２連結体と、を有しており、
前記接地側器具を前記接地線に取り付ける操作がなされ、前記連結器具の姿勢が切り替えられた状態で、前記第２連結体から前記第１連結体が取り外し可能になるように構成されているようにした。
【０００８】
接地側器具を接地線に取り付ける操作がなされ、連結器具の姿勢が切り替えられた状態になれば、第２連結体から第１連結体を取り外すようにして、接地側器具から高圧側器具を外すことができる。
つまり、接地側器具を接地線に取り付けた後、高圧側器具を電力線に取り付けるという手順を順守するように、適切に短絡接地することができる。
そして、この接地側器具は、従来技術のようなキー部材がないので、キー部材を取り外したり取り付けたりする必要はなく、また、キー部材を紛失するトラブルもないので好適である。
【０００９】
また、望ましくは、
前記第２連結体には、一端側に前記接地側器具の挟持部材に当接している押圧部を有し、他端側に前記第１連結体を係止している係止部を有するリンク機構が設けられており、
前記連結器具の姿勢が切り替えられた状態で、前記リンク機構の一端側の前記押圧部が前記挟持部材に向けて押圧されて、その挟持部材が前記接地線に向けて押し付けられた状態に切り替わり、前記リンク機構の他端側の前記係止部による前記第１連結体の係止が解除された状態に切り替わるように構成されているようにする。
【００１０】
接地側器具を接地線に取り付ける操作がなされ、連結器具の姿勢が切り替えられたことで、リンク機構の一端側の押圧部が挟持部材に向けて押圧されて、その挟持部材が接地線に向けて押し付けられた状態に切り替わり、接地側器具を接地線に取り付けることができる。
また、接地側器具を接地線に取り付ける操作がなされ、連結器具の姿勢が切り替えられたことで、リンク機構の他端側の係止部による第１連結体の係止が解除された状態に切り替わり、第２連結体から第１連結体が取り外し可能になって、接地側器具から高圧側器具を外すことができる。
【００１１】
また、望ましくは、
前記連結器具の姿勢が切り替えられた状態で、前記挟持部材に向けて押圧されている前記押圧部がその状態を維持するようにロックするロック部が設けられているようにする。
【００１２】
このようなロック部があれば、挟持部材が接地線に向けて押し付けられた状態を維持できるので、接地側器具を接地線に好適に取り付けておくことができる。
【００１３】
また、望ましくは、
前記第１連結体には、その第１連結体が前記第２連結体に取り付けられた配置において、前記ロック部による前記押圧部のロック状態を解除するための解除操作部が設けられているようにする。
【００１４】
このように、第１連結体が第２連結体に取り付けられた状態でなければ、挟持部材が接地線に向けて押し付けられた状態を解除できず、接地側器具を接地線から取り外すことができない。
つまり、高圧側器具が電力線に取り付けられている状態では、接地側器具を接地線から取り外すことができないので、接地側器具が接地線に取り付けられていないのに、高圧側器具が電力線に取り付けられた状態にはならないようにすることができる。
【００１５】
また、望ましくは、
前記接地側器具が取り付けられる前記接地線部分は、平板形状を呈するように形成されてなる接地板であるようにする。
【００１６】
こうすることで、接地側器具を接地線部分に取り付け易くなる。
【発明の効果】
【００１７】
本発明によれば、接地側器具を接地線に取り付けた後、高圧側器具を電力線に取り付けるという手順を順守するように、適切に短絡接地することができる。
【図面の簡単な説明】
【００１８】
【図１】本実施形態の短絡接地器を示す概略図である。
【図２】本実施形態の短絡接地器の連結器具におけるリンク機構に関する説明図（ａ）（ｂ）（ｃ）である。
【図３】本実施形態の短絡接地器の連結器具におけるラチェット機構（ロック部）に関する説明図（ａ）（ｂ）（ｃ）である。
【発明を実施するための形態】
【００１９】
以下、図面を参照して、本発明に係る短絡接地器の実施形態について詳細に説明する。但し、以下に述べる実施形態には、本発明を実施するために技術的に好ましい種々の限定が付されているが、本発明の範囲を以下の実施形態及び図示例に限定するものではない。
短絡接地器は、例えば、受電設備を法定点検する停電作業を実施する場合に、作業者の安全を確保するため、受電設備を構成する電力線と接地線との間に接続される器具である。
【００２０】
本実施形態の短絡接地器１００は、例えば、図１に示すように、電力線に取り付ける高圧側器具１０と、接地線に取り付ける接地側器具２０と、高圧側器具１０と接地側器具２０とを接続しているケーブル３０と、高圧側器具１０と接地側器具２０とを連結している連結器具５０と、を備えている。
図１に示すように、この短絡接地器１００は、高圧側器具１０と接地側器具２０とが、連結器具５０によって連結された構造を有している。
【００２１】
高圧側器具１０は、例えば、鰐口クリップであり、そのクリップで電力線を挟持することができる。
この高圧側器具１０は、停電状態にされている受電設備の電力線を挟持するようにして、電力線に取り付けられるようになっている。
【００２２】
接地側器具２０は、例えば、挟持部材２１と対向挟持部材２２とＬ型クランプ２３とを備えている。
挟持部材２１は、Ｌ型クランプ２３の一端に配設されており、対向挟持部材２２は、Ｌ型クランプ２３の他端に配設されている。
挟持部材２１には長穴２１ａが設けられており、Ｌ型クランプ２３の一端に設けられている軸２３ａがその長穴２１ａに挿通されて、挟持部材２１がＬ型クランプ２３の一端に取り付けられている。この挟持部材２１は長穴２１ａの長さ分、その配置を調整可能に配設されている。
対向挟持部材２２は、挟持部材２１に対向する配置にあって、その挟持部材２１に対し接離可能に配されている。具体的にはこの対向挟持部材２２は、Ｌ型クランプ２３の他端側にスライド移動可能に配設されている。
この接地側器具２０は、挟持部材２１と対向挟持部材２２とで接地線を挟持するようにして、地中に接地されている接地線に取り付けられるようになっている。
【００２３】
連結器具５０は、図２、図３に示すように、高圧側器具１０側に配設されている第１連結体５１と、接地側器具２０側に配設されている第２連結体５２と、を有している。
【００２４】
第１連結体５１は、略コ字形状を呈する連結部を有しており、略コ字状の連結部が第２連結体５２に組み付けられるようになっている。
その連結部の一方の突部には連結孔５１ａが設けられており、連結部の他方の突部には後述する解除操作部として機能するプッシュピン５１ｂが配設されている。
【００２５】
第２連結体５２は、Ｌ型クランプ２３の一端に設けられている軸２３ａに軸支されている。
この第２連結体５２には、リンク機構６０と、後述するロック部として機能する爪部７０が設けられている。
【００２６】
リンク機構６０は、図２（ａ）（ｂ）（ｃ）に示すように、略Ｌ字形状を呈する第１リンク部材６１と、第１リンク部材６１に一端が軸止されている第２リンク部材６２と、第２リンク部材６２の他端に軸支されている第３リンク部材６３と、を備えている。
【００２７】
第１リンク部材６１は、第２連結体５２に軸支されている。この第１リンク部材６１を軸支している軸６１ｂにはトーションバネ６１ｃが配設されており、そのトーションバネ６１ｃによって第１リンク部材６１の一端６１ａが挟持部材２１に向けて付勢されて、第１リンク部材６１が挟持部材２１に当接している。
この第１リンク部材６１は、挟持部材２１を後述する接地板Ｇに向けて押し付ける押圧部として機能する。
【００２８】
第３リンク部材６３は、その自由端に係止片６３ａが形成されている。
この第３リンク部材６３は、第１連結体５１を係止する係止部として機能する。
【００２９】
爪部７０は、図３（ａ）（ｂ）（ｃ）に示すように、第２連結体５２に軸支されている。この爪部７０を軸支している軸７１にはトーションバネ７１ａが配設されており、そのトーションバネ７１ａによって爪部７０の先端がＬ型クランプ２３の一端部に向けて付勢されている。そのＬ型クランプ２３の一端部には、爪部７０の先端が歯合する歯車部２３ｂが設けられている。
この爪部７０と歯車部２３ｂとがラチェット機構として機能するようになっている。
なお、ラチェット機構として機能する爪部７０と歯車部２３ｂは、図中、紙面の厚み方向（紙面垂直方向）にリンク機構６０とずれた配置にあり、互いの動きを妨げないようになっている。
【００３０】
次に、本実施形態の短絡接地器１００を使用する手順について説明する。
図１に示すように、この短絡接地器１００において、高圧側器具１０は接地側器具２０に連結されており、高圧側器具１０が使用できない状態になっている。
そこで、高圧側器具１０を接地側器具２０から外すために、まずは接地側器具２０を接地線に取り付けるようにする。
【００３１】
図２（ａ）に示すように、高圧側器具１０と接地側器具２０を連結している連結器具５０では、第２連結体５２に第１連結体５１が組み付けられており、第２連結体５２におけるリンク機構６０の第３リンク部材６３の係止片６３ａが、第１連結体５１の連結孔５１ａに挿し入れられた状態であって、第２連結体５２に第１連結体５１が係止された状態になっている。
このように、第２連結体５２に第１連結体５１が係止された状態の連結器具５０によって、高圧側器具１０と接地側器具２０とが連結されている。
このとき、図３（ａ）に示すように、爪部７０の先端は歯車部２３ｂに歯合している。なお、爪部７０と協働する歯車部２３ｂはロック部の一部である。
【００３２】
受電設備の停電作業を行う際、この接地側器具２０を接地線である接地板Ｇに取り付けるにあたり、対向挟持部材２２を挟持部材２１側にスライド移動させ、対向挟持部材２２と挟持部材２１とで接地板Ｇを挟むようにする。
なお、接地板Ｇは、接地側器具２０を接地線に取り付け易くするため、その接地側器具２０が取り付けられる接地線部分を、平板形状を呈するように形成したものである。
そして、接地側器具２０を接地板Ｇに取り付ける操作として、図２（ｂ）に示すように、高圧側器具１０をＬ型クランプ２３側に傾けるようにして（図中、高圧側器具１０を時計回りに回動させるようにして）、連結器具５０の姿勢を斜めに切り替えるようにする。
このように、連結器具５０の姿勢を斜めに切り替えた状態において、リンク機構６０の一端側の第１リンク部材６１が挟持部材２１に向けて押圧されて、その挟持部材２１を接地板Ｇに向けて押し付けた状態に切り替わり、挟持部材２１と対向挟持部材２２とで接地板Ｇを挟持するようになる。
また、連結器具５０の姿勢を斜めに切り替えた状態において、リンク機構６０の他端側の第３リンク部材６３の係止片６３ａが第１連結体５１の連結孔５１ａから引き抜かれて、リンク機構６０（第３リンク部材６３）による第１連結体５１の係止が解除された状態に切り替わり、第２連結体５２から第１連結体５１が取り外し可能になる。
このとき、図３（ｂ）に示すように、爪部７０の先端が歯車部２３ｂに歯合しており、その爪部７０と歯車部２３ｂとがラチェット機構として機能することで、挟持部材２１に向けて押圧されている第１リンク部材６１（リンク機構６０）がその状態を維持するようにロックされており、挟持部材２１と対向挟持部材２２とで接地板Ｇを挟持した状態が維持されるようになっている。
このようにして、接地側器具２０を接地板Ｇに取り付けることができる。
【００３３】
そして、接地側器具２０を接地板Ｇに取り付けた後、図２（ｃ）に示すように、第２連結体５２から第１連結体５１を引き抜くように取り外すようにして、接地側器具２０から高圧側器具１０を外すことができる。
その高圧側器具１０を電力線に取り付ければ、受電設備への短絡接地器１００の設置が完了する。
こうして、作業者の安全が確保された状態で、受電設備の停電作業を行うことができる。
【００３４】
受電設備の停電作業を終えた後、まず、電力線から高圧側器具１０を取り外す。
そして、その高圧側器具１０の第１連結体５１を、接地板Ｇに取り付けられている接地側器具２０の第２連結体５２に組み付ける（図２（ｂ）、図３（ｂ）参照）。
そして、図３（ｃ）に示すように、第１連結体５１に配設されている解除操作部であるプッシュピン５１ｂを押し込むようにすれば、プッシュピン５１ｂに押された爪部７０が歯車部２３ｂから外れてラチェット機構のロックが解除される。
このプッシュピン５１ｂによりラチェット機構（爪部７０と歯車部２３ｂ）のロックが解除されたことで、第１リンク部材６１を挟持部材２１に向けて押圧しているロック状態が解除されるようになる。
具体的には、プッシュピン５１ｂによりラチェット機構（爪部７０と歯車部２３ｂ）のロックを解除し、接地側器具２０を接地板Ｇから取り外す操作として、高圧側器具１０をＬ型クランプ２３側から引き起こすようにすれば（図中、高圧側器具１０を反時計回りに回動させるようにすれば）、第１リンク部材６１を挟持部材２１に向けて押圧しているロック状態を解除して、連結器具５０の姿勢を図２（ａ）、図３（ａ）に示す元の状態に戻すことができる。
こうして、高圧側器具１０と接地側器具２０とが連結された状態に戻すことができ、接地板Ｇから接地側器具２０を取り外すことができる。
【００３５】
このように、本実施形態の短絡接地器１００であれば、接地側器具２０を接地板Ｇ（接地線）に取り付けた後、高圧側器具１０を電力線に取り付けるという手順を順守することができる。
つまり、この短絡接地器１００であれば、適切に短絡接地することができる。
【００３６】
なお、以上の実施の形態においては、高圧側器具１０と接地側器具２０を一組備えた短絡接地器１００を例に説明したが、本発明はこれに限定されるものではなく、例えば、接地側器具２０に対し、複数（例えば３つ）の高圧側器具１０が設けられている短絡接地器に、本発明を適用してもよい。
【００３７】
また、その他、具体的な細部構造等についても適宜に変更可能であることは勿論である。
【符号の説明】
【００３８】
１０    高圧側器具
２０    接地側器具
２１    挟持部材
２１ａ  長穴
２２    対向挟持部材
２３    Ｌ型クランプ
２３ａ  軸
２３ｂ  歯車部（ロック部）
３０    ケーブル
５０    連結器具
５１    第１連結体
５１ａ  連結孔
５１ｂ  プッシュピン（解除操作部）
５２    第２連結体
６０    リンク機構
６１    第１リンク部材（押圧部）
６１ａ  一端
６１ｂ  軸
６１ｃ  トーションバネ
６２    第２リンク部材
６３    第３リンク部材（係止部）
６３ａ  係止片
７０    爪部（ロック部）
７１    軸
７１ａ  トーションバネ
１００  短絡接地器
Ｇ      接地板（接地線）
【図１】
2020057506.tif 000003
【図２】
2020057506.tif 000004
【図３】
2020057506.tif 000005